(57)【要約】【課題】  推力発生手段の推力発生用にコンプレッサにて圧縮された空気を利用する場合においても、コンプレッサのサージング防止と推力発生手段への最適空気流量供給の両立を実現できる技術を提供する。【解決手段】  推力発生手段１２の推力発生用にコンプレッサ６にて圧縮された空気を利用する構成において、コンプレッサ６に吸入される空気が流通する吸気流路８内の圧力を検出する入口圧力検出手段１５と、吸気流路８に備えられ、コンプレッサ６に吸入される空気の量を調節する吸気量制御弁９と、コンプレッサ６から排出される圧縮空気が流通する抽気流路内の圧力を検出する出口圧力検出手段１６と、入口圧力検出手段１５の検出値、出口圧力検出手段１６の検出値及び前記機関回転数検出手段１３の検出値に基づいて吸気量制御弁９の開度を制御する制御手段１４とを備える。  【選択図】  図１
2005090300.tif 000002
【特許請求の範囲】
【請求項１】
ガスタービン機関の回転軸により駆動され吸入した空気を圧縮するコンプレッサと、
当該コンプレッサに吸入される空気が流通する吸気流路内の圧力を検出する入口圧力検出手段と、
前記吸気流路に備えられ、前記コンプレッサに吸入される空気の量を調節する吸気量制御弁と、
前記コンプレッサから排出される圧縮空気が流通する抽気流路内の圧力を検出する出口圧力検出手段と、
前記抽気流路を流通する圧縮空気を利用して推力を発生する推力発生手段と、
前記抽気流路を流通し前記推力発生手段に流入する圧縮空気の量を調節する推力用空気弁と、
前記ガスタービン機関の回転軸の回転数を検出する機関回転数検出手段と、
前記入口圧力検出手段の検出値、前記出口圧力検出手段の検出値及び前記機関回転数検出手段の検出値に基づいて前記吸気量制御弁の開度を制御する制御手段と、
を備えることを特徴とするガスタービン機関の制御装置。
【請求項２】
ガスタービン機関のコンプレッサに吸入される空気が流通する吸気流路内の圧力を検出する入口圧力検出手段と、
前記吸気流路に備えられ、前記コンプレッサに吸入される空気の量を調節する吸気量制御弁と、
前記コンプレッサから排出され前記ガスタービン機関の燃焼器に流入する圧縮空気が流通する燃焼用空気流路内の圧力を検出する出口圧力検出手段と、
前記コンプレッサから排出される圧縮空気の内、前記燃焼用空気流路を流通する圧縮空気以外の圧縮空気が流通する抽気流路と、
前記抽気流路を流通する圧縮空気を利用して推力を発生する推力発生手段と、
前記抽気流路を流通し前記推力発生手段に流入する圧縮空気の量を調節する推力用空気弁と、
前記ガスタービン機関の回転軸の回転数を検出する機関回転数検出手段と、
前記入口圧力検出手段の検出値、前記出口圧力検出手段の検出値及び前記機関回転数検出手段の検出値に基づいて前記吸気量制御弁の開度を制御する制御手段と、
を備えることを特徴とするガスタービン機関の制御装置。
【請求項３】
前記制御手段は、前記入口圧力検出手段の検出値及び前記機関回転数検出手段の検出値に基づいて前記出口圧力検出手段にて検出されるべき目標圧力を算出し、前記出口圧力検出手段にて検出された検出圧力が前記目標圧力より高い場合は、前記吸気量制御弁の開度を小さくするように制御し、前記検出圧力が前記目標圧力より低い場合は、前記吸気量制御弁の開度を大きくするように制御することを特徴とする請求項１又は２に記載のガスタービン機関の制御装置。
【発明の詳細な説明】
【技術分野】
【０００１】
本発明は、ガスタービン機関の制御装置に関するものであり、特に、コンプレッサにて圧縮された空気を利用して推力を発生する飛行体等に好適に用いられるものに関する。
【背景技術】
【０００２】
従来の飛行体において、Ｐｏｗｅｒ／Ｗｅｉｇｈｔ  Ｒａｔｉｏの大きなガスタービン機関が駆動源として使用されている。そして、推力を得るための方法としては、ターボジェットのように高温、高圧のガスを大気中に噴出して推力を得る方法と、機関の軸出力でファン（若しくはプロペラ）を駆動して推力を得る方法とが知られている（例えば、特許文献１参照）。
【０００３】
後者は更にターボファン方式とターボシャフト方式に分類される。そして、前者のターボファン方式は、ガスタービン機関の同軸上に推力を得るためのファンを設けた構造のものであり、ファンの駆動はガスタービン機関で行われ、ファンの推力とガスタービン機関のガスの膨張により推力を得るものである。
【０００４】
一方、後者のターボシャフト方式も同じくガスタービン機関の軸出力でファン（若しくはプロペラ）を駆動する方式であるが、効率の観点から大きな径のファンを使用するものに関しては、ファン自体の周速が問題となるので、機関の軸とファン駆動軸間に減速機が設置される（例えば、特許文献１参照）。
【特許文献１】特開平６−１９９２９６号公報
【特許文献２】特開平７−１９０６８号公報
【発明の開示】
【発明が解決しようとする課題】
【０００５】
上述したようなターボファン方式とターボシャフト方式において、推進装置として用いられるファン（若しくはプロペラ）の駆動は、ガスタービン機関の軸出力を利用する方式であるため、基本的にガスタービン機関の回転軸とファンを機械的に接続する必要がある。そのため、ファン（若しくはプロペラ）の配置について自由度が少ないという欠点がある。
【０００６】
これに対して、ガスタービン機関のコンプレッサあるいはガスタービン機関の回転軸により駆動されるコンプレッサにて圧縮された空気を利用して推力を発生するファン（若しくはプロペラ）を推進装置として用いると、ガスタービン機関と当該ファン（若しくはプロペラ）とは圧縮空気配管等で接続するのみであるので、ファン（若しくはプロペラ）の配置の自由度を増すことが可能になる。
【０００７】
但し、吸入した空気を圧縮して排出するコンプレッサにおいては、コンプレッサの出口の圧力が入口の圧力に対して過剰に高くなると、コンプレッサのブレード部における空気の剥離、逆流現象である、いわゆるサージングに至るおそれがある。ガスタービン機関とファン（若しくはプロペラ）とを機械的に接続する構成においては、機関出力を軸出力として取り出すため、サージングに至ることはないが、上述したようにコンプレッサから排出される圧縮空気を利用して推力を発生させる構成においては、使用される圧縮空気量が減少するとコンプレッサの出口圧力が高くなり、サージングに至る可能性がある。そして、コンプレッサの損傷に至るおそれがある。
【０００８】
本発明は、上記した問題点に鑑みてなされたものであり、その目的とするところは、推
力発生機の推力発生用にコンプレッサにて圧縮された空気を利用する場合においても、コンプレッサのサージング防止と推力発生機への最適空気流量供給の両立を実現できるガスタービン機関の制御装置を提供することにある。
【課題を解決するための手段】
【０００９】
上記目的を達成するために、本発明に係るガスタービン機関の制御装置にあっては、ガスタービン機関の回転軸により駆動され吸入した空気を圧縮するコンプレッサと、当該コンプレッサに吸入される空気が流通する吸気流路内の圧力を検出する入口圧力検出手段と、前記吸気流路に備えられ、前記コンプレッサに吸入される空気の量を調節する吸気量制御弁と、前記コンプレッサから排出される圧縮空気が流通する抽気流路内の圧力を検出する出口圧力検出手段と、前記抽気流路を流通する圧縮空気を利用して推力を発生する推力発生手段と、前記抽気流路を流通し前記推力発生手段に流入する圧縮空気の量を調節する推力用空気弁と、前記ガスタービン機関の回転軸の回転数を検出する機関回転数検出手段と、前記入口圧力検出手段の検出値、前記出口圧力検出手段の検出値及び前記機関回転数検出手段の検出値に基づいて前記吸気量制御弁の開度を制御する制御手段と、を備えることを特徴とする。
【００１０】
推力発生手段はガスタービン機関の回転軸により駆動されるコンプレッサにて圧縮された空気を利用して推力を発生するが、推力発生手段にて推力を発生させる必要がある場合には推力用空気弁の開度を開き、推力発生手段にて推力を発生させる必要が無い場合には推力用空気弁の開度を閉じるというように、要求される推力に応じて推力用空気弁の開度が制御される。
【００１１】
そして、このように、推力発生手段は、ガスタービン機関の回転軸により駆動されるコンプレッサにて圧縮された空気を利用して推力を発生するため、ガスタービン機関と推力発生手段とは抽気流路のみで接続することができる。それゆえ、ガスタービン機関と推力発生手段とを機械的に接続する場合と比較すると、推力発生手段の配置を自由に設定することができる。また、推力発生手段の数、大きさ等をも、ガスタービン機関が搭載される飛行体等の大きさ等に応じて自由に設定することができるので、このことも推力発生手段の配置の自由度を大きくさせる要因となる。
【００１２】
但し、吸入した空気を圧縮して排出するコンプレッサにおいては、排出した空気の使用量が減少すること等により、コンプレッサの出口の圧力が入口の圧力に対して過剰に高くなると、コンプレッサのブレード部における空気の剥離、逆流現象である、いわゆるサージングに至るおそれがある。そのため、コンプレッサによる圧縮空気を推力発生手段に利用するシステムにおいては、推力発生手段の使用空気量が減少した場合にサージングに至らないようにすることが重要である。
【００１３】
そこで、本発明に係るガスタービン機関の制御装置においては、ガスタービン機関の回転軸により駆動されるコンプレッサに吸入される空気が流通する吸気流路内の圧力を検出する入口圧力検出手段と、前記吸気流路に備えられ、前記コンプレッサに吸入される空気の量を調節する吸気量制御弁と、前記コンプレッサから排出される圧縮空気が流通する抽気流路内の圧力を検出する出口圧力検出手段と、入口圧力検出手段の検出値、出口圧力検出手段の検出値及び機関回転数検出手段の検出値に基づいて当該吸気量制御弁の開度を制御する制御手段とを備えるようにした。
【００１４】
そして、前記制御手段が、例えば、入口圧力検出手段の検出値及び機関回転数検出手段の検出値に基づいて出口圧力検出手段にて検出されるべき目標圧力を算出し、出口圧力検出手段にて検出された検出圧力が当該目標圧力より高い場合は、前記吸気量制御弁の開度を小さくするように制御することで、コンプレッサに流入する空気を減少させてコンプレ
ッサから流出する空気を減少させ、サージングに至らないようにすることができる。
【００１５】
また、前記制御手段が、例えば、前記出口圧力検出手段にて検出された検出圧力が前記目標圧力より低い場合は、前記吸気量制御弁の開度を大きくするように制御することで、推力発生手段に、最適な空気量を供給することができる。
【００１６】
また、本発明に係るガスタービン機関の制御装置においては、ガスタービン機関のコンプレッサに吸入される空気が流通する吸気流路内の圧力を検出する入口圧力検出手段と、前記吸気流路に備えられ、前記コンプレッサに吸入される空気の量を調節する吸気量制御弁と、前記コンプレッサから排出され前記ガスタービン機関の燃焼器に流入する圧縮空気が流通する燃焼用空気流路内の圧力を検出する出口圧力検出手段と、前記コンプレッサから排出される圧縮空気の内、前記燃焼用空気流路を流通する圧縮空気以外の圧縮空気が流通する抽気流路と、前記抽気流路を流通する圧縮空気を利用して推力を発生する推力発生手段と、前記抽気流路を流通し前記推力発生手段に流入する圧縮空気の量を調節する推力用空気弁と、前記ガスタービン機関の回転軸の回転数を検出する機関回転数検出手段と、前記入口圧力検出手段の検出値、前記出口圧力検出手段の検出値及び前記機関回転数検出手段の検出値に基づいて前記吸気量制御弁の開度を制御する制御手段と、を備えることを特徴とする。
【００１７】
ガスタービン機関のコンプレッサにて圧縮された空気の一部を推力発生手段にて利用する構成においても、推力発生手段にて使用される圧縮空気量が減少するとサージングに至るおそれがあり、ガスタービン機関のコンプレッサの損傷に至るおそれがある。
【００１８】
そこで、ガスタービン機関のコンプレッサに吸入される空気が流通する吸気流路内の圧力を検出する入口圧力検出手段と、前記吸気流路に備えられ、前記コンプレッサに吸入される空気の量を調節する吸気量制御弁と、前記コンプレッサから排出され前記ガスタービン機関の燃焼器に流入する圧縮空気が流通する燃焼用空気流路内の圧力を検出する出口圧力検出手段と、入口圧力検出手段の検出値、出口圧力検出手段の検出値及び機関回転数検出手段の検出値に基づいて当該吸気量制御弁の開度を制御する制御手段とを備えるようにした。
【００１９】
そして、前記制御手段が、例えば、入口圧力検出手段の検出値及び機関回転数検出手段の検出値に基づいて出口圧力検出手段にて検出されるべき目標圧力を算出し、出口圧力検出手段にて検出された検出圧力が当該目標圧力より高い場合は、前記吸気量制御弁の開度を小さくするように制御することで、コンプレッサに流入する空気を減少させてコンプレッサから流出する空気を減少させ、サージングに至らないようにすることができる。
【００２０】
また、前記制御手段が、例えば、前記出口圧力検出手段にて検出された検出圧力が前記目標圧力より低い場合は、前記吸気量制御弁の開度を大きくするように制御することで、推力発生手段に、最適な空気量を供給することができる。
【発明の効果】
【００２１】
以上説明したように、本発明に係るガスタービン機関の制御装置によれば、推力発生手段の推力発生用にコンプレッサにて圧縮された空気を利用する場合においても、コンプレッサのサージング防止と推力発生手段への最適空気流量供給の両立を実現できる。
【００２２】
それゆえ、ガスタービン機関と、コンプレッサにて圧縮された空気を利用して駆動する推力発生手段とを抽気流路のみで接続させることができるので、例えば飛行体において、推力発生手段の配置に自由度をもたせることができる。
【発明を実施するための最良の形態】
【００２３】
以下に図面を参照して、この発明を実施するための最良の形態を例示的に詳しく説明する。ただし、この最良の形態に記載されている構成部品の寸法、材質、形状、その相対配置などは、特に特定的な記載がない限りは、この発明の範囲をそれらのみに限定する趣旨のものではない。
【実施例１】
【００２４】
図１は、実施例１に係るガスタービン機関の制御装置を適用する飛行体の概略構成を示す図である。
【００２５】
ガスタービン機関１は、第１コンプレッサ２、燃焼器３、タービン４を備えている。そして、第１コンプレッサ２に吸入された空気（吸気）は、第１コンプレッサ２にて圧縮され、燃焼器３において燃料供給アクチュエータ（図示省略）により供給される燃料と混合されて燃焼し、その燃焼ガスは第１コンプレッサ２と回転軸５で直結されたタービン４を回転させた後に、排気ガスとなって大気に排出される。
【００２６】
このガスタービン機関１には第２コンプレッサ６が回転軸５で直結されており、タービン４の回転数と同じ回転数で回転する。そして、吸入した空気を圧縮し、第２コンプレッサ６出口部に接続された抽気流路７へ排出する。また、第２コンプレッサ６には、吸気流路８が接続されており、この吸気流路８には、後述するＥＣＵからの指令に基づき駆動され、当該吸気流路８内の流路面積を変更可能な制御器である吸気量制御弁９が備えられている。そして、吸気量制御弁９の開度により決定される流路面積に応じた分の吸気が第２コンプレッサ６に流入する。
【００２７】
抽気流路７は、ｎ本の推力用空気流路１０と接続されており、このｎ本の推力用空気流路１０各々には、後述するＥＣＵからの指令に基づき駆動される当該推力用空気流路１０内の流路面積を変更可能な制御器である電磁弁等の推力用空気弁１１を介して、推力発生手段としての推力発生用ファン１２が連結されている。
【００２８】
推力発生用ファン１２の構成の概略を示したのが図２であり、推力発生用ファン１２は、主にタービン２１、減速機２２、ファン２３とから構成されている。そして、推力用空気流路１０から流入した高圧の空気によりタービン２１が回転駆動され、減速機２２により減速させられてファン２３が回転し、ファン２３の回転により推力が発生する。
【００２９】
また、ガスタービン機関１には回転軸５の回転位置を検出する回転角センサ１３が設けられている。この回転角センサ１３は、回転軸５近傍に配置され所定回転角度毎（例えば６０度毎）にパルス信号を発生するものであり、このパルスは後述するＥＣＵ１４に入力され、ＥＣＵ１４は、一定時間毎にパルス信号の周波数から回転軸５の回転数（以下、「機関回転数」という。）Ｎを算出する。
【００３０】
以上述べたように構成されたガスタービン機関１を搭載した飛行体には、当該飛行体及びガスタービン機関１を制御するための電子制御ユニット（ＥＣＵ：Electronic Control
Unit）１４が併設されている。このＥＣＵ１４は、ＣＰＵ、ＲＯＭ、ＲＡＭ、バックアップＲＡＭなどからなる算術論理演算回路である。
【００３１】
ＥＣＵ１４には、上述した回転角センサ１３、第２コンプレッサ６に吸入される空気の圧力Ｐ１を検出する入口圧力センサ１５、第２コンプレッサ６から流出する空気の圧力Ｐ３を検出する出口圧力センサ１６、大気の温度Ｔ０を検出する大気温センサ（図示省略）やスロットル開度センサ（図示省略）等の各種センサが電気配線を介して接続され、上記した各種センサの出力信号がＥＣＵ１４に入力されるようになっている。
【００３２】
一方、ＥＣＵ１４には、吸気量制御弁９、推力用空気弁１１等が電気配線を介して接続され、ＥＣＵ１４が吸気量制御弁９、推力用空気弁１１等を制御することが可能になっている。
【００３３】
このような構成において、スロットル開度センサからの出力値に基づいて予め設定されたマップにしたがってガスタービン機関１の運転状態が制御される。本実施の形態では、基本的にスロットル開度信号レベルが大きいほどガスタービン機関１は高負荷状態で運転される。
【００３４】
また、飛行体が浮上するための推力が要求される場合には、ＥＣＵ１４は推力用空気流路１０の流路面積変更可能な推力用空気弁１１の開度を開き、第２コンプレッサ６からの圧縮空気を、浮上するための推力を発生する推力発生用ファン１２へ導くようにする。結果として、推力発生用ファン１２は、圧縮空気が膨張する際のエネルギーを利用して回転し推力を発生することとなる。
【００３５】
一方、飛行体を着陸させる場合、あるいは飛行体の姿勢をコントロールする場合には、推力発生用ファン１２の推力を絞る必要性が生じるが、その際は、推力用空気弁１１の開度を絞り、推力発生用ファン１２への空気流量を減少させる。
【００３６】
このように、本実施例に係る飛行体は、推進装置として推力発生用ファン１２を用いており、ガスタービン機関１の回転軸５に直結された第２コンプレッサ６にて発生する圧縮空気を駆動源として使用している。かかる構成とすることにより、ガスタービン機関１と推進装置たる推力発生用ファン１２との接続は、圧縮空気が流通する抽気流路７と推力用空気流路１０だけであるので、従来技術に係る飛行体のようにガスタービン機関と推進装置とを機械的に接続する必要がない。
【００３７】
そのため、飛行体におけるガスタービン機関の搭載状態に対して、推進装置たる推力発生用ファン１２の配置の自由度を増すことが可能となり、飛行体への搭載性が向上する。推力発生用ファン１２の数や大きさも飛行体毎に任意に設定することができ、飛行体に応じて所望の推力を得るようにすることができると共に、このことも推力発生用ファン１２の配置の自由度を増している。例えば、飛行体の底部等に、推力発生用ファン１２の軸が地面に対して垂直となるように配置することで地面に対して垂直な推力を発生でき、飛行体の後部等に、推力発生用ファン１２の軸が地面に対して水平となるように配置することで地面に対して水平な推力を発生できる。
【００３８】
しかしながら、このようにガスタービン機関の運転により発生する圧縮空気を推進装置に利用する場合には次のような問題が発生する。
【００３９】
図３に示したのが、コンプレッサの一般的な特性であり、本図に示すようにコンプレッサの特性は機関回転数Ｎ毎に実線で示すような特性として表すことができる。これは、コンプレッサの回転数Ｎを一定とした場合に、コンプレッサから取り出す空気流量Ｇａが多いと、コンプレッサの入口圧力Ｐ１に対する出口圧力Ｐ３は下がり、コンプレッサから取り出す空気流量Ｇａが少なくなると、コンプレッサの入口圧力Ｐ１に対する出口圧力Ｐ３は上昇するような特性を持っていることを示している。なお、図３中、θは大気温度／標準大気温度であり、δは大気圧力／標準大気圧力を示す値である。
【００４０】
かかるコンプレッサの特性により、圧縮空気はガスタービン機関１の回転軸５に直結された第２コンプレッサ６により容易に作り出せるが、コンプレッサの入口圧力Ｐ１が一定であるとすると、飛行体を着陸させる場合、あるいは飛行体の姿勢をコントロールする場
合等において推力発生用ファン１２の圧縮空気使用量が減少した場合、第２コンプレッサ６の出口圧力Ｐ３が上昇してしまう。これは、従来技術のターボファンやターボシャフト方式では、機関出力を軸出力として取り出すのに対して、本実施例の構成では、第２コンプレッサ６にて圧縮した空気が使用されない場合、当該空気の行き場所がなくなるためである。
【００４１】
そして、第２コンプレッサ６の出口圧力Ｐ３が高くなると、第２コンプレッサ６のブレード（翼）部における空気の剥離、逆流現象であるサージングという現象に至り、第２コンプレッサ６の破損に至ってしまう。
【００４２】
なお、コンプレッサから取り出す空気流量Ｇａ等毎にいかなる範囲にてサージングが発生するかを表す領域であるサージ領域を図３に示した。本図において、例えばＮ／√（θ）＝８０％は、定格回転数（Ｎ／√（θ）＝１００％）の８０％の回転数であることを示す。
【００４３】
このように、コンプレッサによる圧縮空気を推進装置に利用するシステムにおいては、推進装置の使用空気量が減少した場合にサージングに至らないようにすることが重要である。
【００４４】
そこで、本実施例に係る飛行体においては、ガスタービン機関１の運転中に推力発生用ファン１２の空気使用量が低下したような場合に、吸気量制御弁９の弁の開度を閉じるように制御して、第２コンプレッサ６に流入する空気を減少させることにより、第２コンプレッサ６から流出する圧縮空気を減少させ、出口圧力Ｐ３を小さくするようにする。
【００４５】
そして、吸気量制御弁９の開度を制御するにあたっては、図４のフローチャートに示した制御ルーチンにしたがって実行する。
【００４６】
この制御ルーチンを、予めＥＣＵ１４のＲＯＭに記憶しておき、一定時間の経過毎に割り込み処理としてＥＣＵ１４が実行するようにするものである。
【００４７】
ＥＣＵ１４は、まず、ステップ１００において、回転角センサ１３、入口圧力センサ１５、出口圧力センサ１６、大気温センサからの４つの入力信号に基づいて機関回転数Ｎ、大気温度Ｔ０、入口圧力Ｐ１、コンプレッサ出口圧力Ｐ３を検出する。
【００４８】
その後、ステップ１０１において、機関回転数Ｎと予め定数として設定されたＮｓとを比較する。ここで、Ｎｓとは、例えば機関のアイドル回転数相当の値であり、吸気量制御弁９の開度を１００％としても第２コンプレッサ６がサージングを起こさないような回転数値が選定される。したがって、本ステップではＮｓと実機関回転数Ｎとを比較することによりガスタービン機関が運転されているか否かの判断と吸気量制御弁９の開度を絞る必要がある領域にあるか否かの判断を行うものである。
【００４９】
しかるべくして、実機関回転数Ｎが設定値Ｎｓ以下の場合、ガスタービン機関１はサージングに至ることはないのでステップ１１１へ進み、吸気量制御弁９の開度を１００％の状態とする。一方、実機関回転数ＮがＮｓより高くなった場合には機関の運転状態によりコンプレッサ６がサージングに至る可能性があり、吸気量制御弁９の開度を調節する必要性が生じるので、ステップ１０２以降の処理を実行する。
【００５０】
ステップ１０２においては、ステップ１００にて検出した検出値を基に出口圧力センサ１６にて検出されるべき目標の圧力であるＰ３ｔの算出を行うものである。このＰ３ｔはサージ領域の判断を行うための変数であり、その特性は、図３に示したコンプレッサの特
性上に図中のように示されている。この特性は、サージ領域に対し若干制御マージンを見込んで設定されるものであり、コンプレッサ毎に、機関回転数、入口圧力Ｐ１、大気温Ｔ０に基づいて一義的に定まる値である。そして、この機関回転数、Ｐ１、Ｔ０及びＰ３ｔの相関関係をＥＣＵ１４のＲＯＭにマップとして記憶しておき、本ステップではステップ１００にて検出した機関回転数Ｎ、入口圧力Ｐ１、大気温度Ｔ０を当該マップに代入してＰ３ｔを求めるようにする。
【００５１】
その後、ステップ１０３に進み、ステップ１０２で求めたＰ３ｔと検出したコンプレッサ出口圧力Ｐ３との比較を行う。そして、Ｐ３とＰ３ｔが同じ値の場合にはステップ１０４へ進み、Ｐ３とＰ３ｔの値が異なる場合には、ステップ１０５へ進む。
【００５２】
ステップ１０４においては、Ｐ３とＰ３ｔが同じ値であるので、吸気量制御弁９の開度の変更の必要性がないため、吸気量制御弁９の開度Ｓは前回設定した値Ｓ−１をそのまま使用するようにする。
【００５３】
一方、ステップ１０５においては、Ｐ３とＰ３ｔの値が異なるので、その差分（Ｐ３−Ｐ３ｔ）をパラメータとして図５に示す特性に基づき吸気量制御弁９の開度Ｓの補正量ΔＳを求めるようにする。なお、この図５の特性はコンプレッサの安定性等を考慮して予め設定されるものであり、本実施例においては、基本的に実コンプレッサ出口圧力Ｐ３が算出された目標圧力Ｐ３ｔより大きくなった場合はコンプレッサがサージングに至る可能性があるため吸気量制御弁９の開度が小さくなるように制御し、実コンプレッサ出口圧力Ｐ３が算出された目標圧力Ｐ３ｔより小さくなった際には圧縮機がサージングに至る可能性はないので、吸気量制御弁９の開度は大きくする方向に制御するものである。このようにして、サージングに至るのを防止するとともに、推力発生用ファン１２へ最適な圧縮空気量を供給できるようにする。
【００５４】
その後ステップ１０６へ進み、吸気量制御弁９の開度Ｓを求める。これは、前回の開度Ｓ−１からステップ１０５にて算出した補正量ΔＳを減算するものである。
【００５５】
その後のステップは、ステップ１０６で算出した吸気量制御弁９の開度Ｓが吸気量制御弁９の作動範囲（０〜１００％）を超えているか否かのチェックを行い、もしこの範囲を超えているようならば、その作動範囲内に修正するものである。
【００５６】
つまり、ステップ１０７において、ステップ１０６にて算出した吸気量制御弁９の開度Ｓが１００％以上であるか否かを判別する。そして、開度Ｓが１００％以上である場合はステップ１０８へ進み、開度Ｓを１００％に設定する。一方、開度Ｓが１００％より小さい場合はステップ１０９へ進む。
【００５７】
ステップ１０９においては、開度Ｓが０％より小さいか否かを判別する。そして、開度Ｓが０％より小さい場合はステップ１１０へ進み、開度を０％に設定する。一方、開度Ｓが０％以上であると判別された場合は、開度Ｓは０％から１００％の範囲内にあるので、ステップ１０６で算出した開度Ｓをそのまま使用する。
【００５８】
そして吸気量制御弁９の開度Ｓが決定されたらステップ１１２へ進む。そして本ステップにおいて、上記のようにして決定された吸気量制御弁９の開度の信号をドライバー回路に出力する。そして、ドライバー回路において、開度信号に応じた開度となるように吸気量制御弁９をフィードバック制御するようにする。
【００５９】
このようにすることで、ガスタービン機関１がいかなる運転状態にあっても、第２コンプレッサ６がサージングに至ることを防止することができる。
【００６０】
また、推力発生用ファン１２における第２コンプレッサ６にて圧縮された空気の利用量が多くなるのに応じて、吸気量制御弁９を開けるように制御するので、最適な空気量を推力発生用ファン１２に供給することができる。
【実施例２】
【００６１】
図６は、本実施例に係るガスタービン機関の制御装置を適用する飛行体の概略構成を示す図である。
【００６２】
実施例１においては、推力発生用ファン１２にて使用する圧縮空気を発生させるための第２コンプレッサ６を回転軸５に直結していたが、本実施例においては、ガスタービン機関１７のコンプレッサ１８に抽気流路７を接続し、コンプレッサ１８にて発生した圧縮空気の一部を、推力発生用ファン１２を駆動するためにも用いるように構成されている。
【００６３】
また、コンプレッサ１８には、吸気流路８が接続されており、この吸気流路８には、実施例１と同様に、ＥＣＵ１４からの指令に基づき駆動され、当該吸気流路８内の流路面積を変更可能な制御器である吸気量制御弁９が備えられている。そして、吸気量制御弁９の開度により決定される流路面積に応じた分の吸気がコンプレッサ１８に流入する。さらに、コンプレッサ１８に吸入される空気の圧力Ｐ１を検出する入口圧力センサ１５が吸気流路８に備えられている。
【００６４】
また、コンプレッサ１８にて圧縮された空気を燃焼器３に流入させるための空気流路である燃焼用空気流路１９にコンプレッサ出口圧力Ｐ３を検出する出口圧力センサ１６が備えられている。その他の構成は実施例１と同一であり、同一の構成部品については、図１と同一の符号を付し、その説明は省略する。
【００６５】
かかる構成においては、コンプレッサ１８にて圧縮された空気は、燃焼器３に送られると共に推力発生用ファン１２にも送られるため、実施例１の第１コンプレッサ２と比較すると、より多くの圧縮空気を発生させる必要があるが、実施例１では必要となる第２コンプレッサ６が不要となるという利点がある。
【００６６】
そして、このように構成された飛行体においても、上述したコンプレッサの特性により、圧縮空気はコンプレッサ１８により容易に作り出せるが、飛行体を着陸させる場合、あるいは飛行体の姿勢をコントロールする場合等において推力発生用ファン１２の圧縮空気使用量が減少した場合、コンプレッサ１８にて圧縮された空気の内、抽気流路７へ流入する空気量が減少し、コンプレッサ１８の出口圧力である燃焼用空気流路１９内の圧力が上昇してしまう。そして、コンプレッサ１８の出口圧力が高くなると、上述したサージングという現象に至るので、推力発生用ファン１２の使用空気量が減少した場合にサージングに至らないようにすることが重要である。
【００６７】
そして、本実施例に係る飛行体においても、ガスタービン機関１７の運転中に推力発生用ファン１２の空気使用量が低下したような場合に、吸気量制御弁９の弁の開度を閉じるように制御して、第２コンプレッサ６に流入する空気を減少させることにより、第２コンプレッサ６から流出する圧縮空気を減少させ、出口圧力Ｐ３を小さくするようにする。
【００６８】
そして、吸気量制御弁９の開度を制御するにあたっては、実施例１と同様に図４のフローチャートに示した制御ルーチンにしたがって実行する。その詳細な説明は省略するが、概略としては以下のようにして、吸気量制御弁９の開度を制御する。
【００６９】
つまり、ＥＣＵ１４は、まず、回転角センサ１３、入口圧力センサ１５、出口圧力セン
サ１６、大気温センサからの４つの入力信号に基づいて機関回転数Ｎ、大気温度Ｔ０、コンプレッサ１８の入口圧力Ｐ１、コンプレッサ１８の出口圧力Ｐ３を検出する。
【００７０】
その後、検出した機関回転数Ｎと予め定数として設定されたＮｓとを比較し、実機関回転数Ｎが設定値Ｎｓ以下の場合、コンプレッサ１８はサージングに至ることはないので吸気量制御弁９の開度を１００％の状態とする。
【００７１】
一方、実機関回転数ＮがＮｓより高い場合には、検出値を基に目標のコンプレッサの出口圧力であるＰ３ｔを算出し、検出したコンプレッサ出口圧力Ｐ３との比較を行う。そして、Ｐ３とＰ３ｔが同じ値の場合には、吸気量制御弁９の開度Ｓは前回設定した値Ｓ−１をそのまま使用するようにする。
【００７２】
一方、Ｐ３とＰ３ｔの値が異なる場合は、その差分（Ｐ３−Ｐ３ｔ）をパラメータとして吸気量制御弁９の開度Ｓの補正量ΔＳを求め、前回の開度Ｓ−１に加算する。その後、算出した開度Ｓが、作動範囲（０〜１００％）を超えているか否かのチェックを行い、もしこの範囲を超えているようならば、その作動範囲内に修正する。開度Ｓが、前記作動範囲内にある場合は、ステップ１０６で算出した開度Ｓをそのまま使用する。
【００７３】
そして上述のようにして吸気量制御弁９の開度Ｓを設定した後は、この開度の信号をドライバー回路に出力し、ドライバー回路では開度信号に応じた開度となるように吸気量制御弁９をフィードバック制御するようにする。
【００７４】
このようにすることで、ガスタービン機関１７がいかなる運転状態にあっても、コンプレッサ１８がサージングに至ることを防止することができる。
【００７５】
また、推力発生用ファン１２において、コンプレッサ１８にて圧縮された空気の利用量が多くなるのに応じて、吸気量制御弁９を開けるように制御するので、最適な空気量を推力発生用ファン１２に供給することができる。
【図面の簡単な説明】
【００７６】
【図１】実施例１に係るガスタービン機関の制御装置を適用する飛行体の概略構成を示す図である。
【図２】実施例に係る推力発生用ファンの概略構成を示す図である。
【図３】コンプレッサの特性を示す図である。
【図４】実施例１に係る吸気量制御弁の開度を制御する制御ルーチンを示すフローチャート図である。
【図５】コンプレッサ出口の実際の圧力及び目標の圧力と、吸気量制御弁の開度の補正量との相関関係を示す図である。
【図６】実施例２に係るガスタービン機関の制御装置を適用する飛行体の概略構成を示す図である。
【符号の説明】
【００７７】
１  ガスタービン機関
２  第１コンプレッサ
３  燃焼器
４  タービン
５  回転軸
６  第２コンプレッサ
７  抽気流路
８  吸気流路
９  吸気量制御弁
１０  推力用空気流路
１１  推力用空気弁
１２  推力発生用ファン
１３  回転角センサ
１４  ＥＣＵ
１５  入口圧力センサ
１５  出口圧力センサ
１７  ガスタービン機関
１８  コンプレッサ
１９  燃焼用空気流路
２１  タービン
２２  減速機
２３  ファン
【図１】
2005090300.tif 000003
【図２】
2005090300.tif 000004
【図３】
2005090300.tif 000005
【図４】
2005090300.tif 000006
【図５】
2005090300.tif 000007
【図６】
2005090300.tif 000008